(57)【特許請求の範囲】
【請求項１】
器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備して成り、上記沈み込み防止手段は、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで構成されていることを特徴とするスイッチ。
【請求項２】
器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備して成り、上記沈み込み防止手段は、上記操作ハンドルの上記器体方向への移動時に上記器体前面に衝合するように形成した上記操作ハンドルの側壁後端と、上記器体前面とで構成した第１の沈み込み防止手段と、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで構成された第２の沈み込み防止手段とで構成されていることを特徴とするスイッチ。  
【発明の詳細な説明】
【０００１】
【発明の属する技術分野】
本発明は、スイッチに関するものである。
【０００２】
【従来の技術】
埋め込み配線器具の一種として、器体の上面と同等の投影面積を持つ大型の操作ハンドルを取り付けたスイッチが近年提供されてきている。
【０００３】
このスイッチは、器体の前面開口から前部を露出させて回動自在に器体に保持される中ハンドルと、器体内に設けられ、中ハンドルにて一端が保持されるとともに他端が開閉体に保持され、中ハンドルの回動に応じて開閉体に反転回動力を付与するコイルスプリングと上記開閉体とからなる開閉機構部と、開閉機構部の開閉体の回動に応じて開閉される開閉接点部と、中ハンドルの前部に被さるように取着されるとともに上記器体前面への投影像が器体前面と略同じ大きさとなる寸法に形成された操作ハンドルとを備えている。
【０００４】
【発明が解決しようとする課題】
このような構成のスイッチでは、器体側に組み込まれた中ハンドルの前部に被さるように操作ハンドルを取り付ける場合、操作ハンドルを中ハンドルに被せて取着するための押し込み力によって、操作ハンドルは中ハンドルとともに器体方向に沈み込む。この際、過度の押し込み力によって大きく沈み込むと器体内部の開閉機構部や開閉接点部に力が加わって破損したり故障するという問題があった。
【０００５】
本発明は、上記の点に鑑みて為されたもので、その目的とするところは中ハンドルに操作ハンドルを取着する際、操作ハンドルの所定以上の器体方向への移動を規制して沈み込みによる開閉機構部や開閉接点部の破損や故障を防いだスイッチを提供することにある。
【０００６】
【課題を解決するための手段】
請求項１の発明では、器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備して成り、上記沈み込み防止手段は、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで構成されていることを特徴とする。
【０００７】
請求項２の発明では、器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備して成り、上記沈み込み防止手段は、上記操作ハンドルの上記器体方向への移動時に上記器体前面に衝合するように形成した上記操作ハンドルの側壁後端と、上記器体前面とで構成した第１の沈み込み防止手段と、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで構成された第２の沈み込み防止手段とで構成されていることを特徴とする。
【００１０】
【発明の実施の形態】
以下本発明を基本例及び実施形態により説明する。
【００１１】
（基本例）
図２に本基本例のスイッチの分解斜視図を示し、図３（ａ）に正面図、図３（ｂ）に側面図、図３（ｃ）に下面図、図４に断面図をそれぞれ示す。
【００１２】
このスイッチは、前面が開口した略箱状の合成樹脂製のボディ１と、前面が略矩形状に形成されるとともに、ボディ１の前面に被着される合成樹脂製のカバー２とで構成される器体１０を備えている。ボディ１の長手方向の両側面にはそれぞれ一対の係止凸部３が突設されるとともに、カバー２の後端縁からは係止凸部３と係止離脱自在に係止する係止孔４がそれぞれ穿設された舌片５が突設されており、係止凸部３と係止孔４とを凹凸係止させることによってボディ１とカバー２とが組み立てられる。
【００１３】
ボディ１の内部は隔壁によって複数の区画に仕切られており、速結端子部６を収納する端子収納室７，７が両側に設けられ、後述の開閉接点部８を収納する接点収納室９が略中央に設けられている。なお、本基本例では開閉接点部８として単極切り換えに用いる３路スイッチ（所謂Ｃ接点タイプ）を用いている。
【００１４】
端子収納室７，７にはそれぞれ導電材料から形成された端子板１１ａ，１１ｂ，１２が収納されている。第２の端子板たる一対の端子板１１ａ，１１ｂはそれぞれ略コ字状に形成されたコ字状部１３を有し、各コ字状部１３に鎖錠ばね１５がそれぞれ収納されて、速結端子部６が構成してある。同様に第１の端子板たる端子板１２も略コ字状に形成されたコ字状部１４を有しており、コ字状部１４に一対の鎖錠ばね１５が収納されて、速結端子部６が構成してある。
【００１５】
ここで、端子板１１ａ，１１ｂのコ字状部１３、端子板１２のコ字状部１４および鎖錠ばね１５から構成される速結端子部６について簡単に説明する。鎖錠ばね１５の鎖錠片１５ｂおよび接触片１５ｃは、弾性を有する導電材料の帯板の両端部を曲成して中央片１５ａの両端部に形成される。また、各コ字状部１３，１４は、それぞれ、中央片１３ａ，１４ａと、中央片１３ａ，１４ａの両端縁から中央片１３ａ，１４ａと略直交する方向にそれぞれ突出する当接片１３ｂ，１４ｂおよび接触片１３ｃ，１４ｃから構成される。そして、鎖錠ばね１５の中央片１５ａは、端子板１１ａ，１１ｂ，１２の当接片１３ｂ，１４ｂに当接し、鎖錠片１５ｂおよび接触片１５ｃが端子板１１ａ，１１ｂ，１２の接触片１３ｃ，１４ｃと対向する。また各端子収納室７内には、一対の鎖錠ばね１５の鎖錠片１５ｂと対向させて解除釦１７が収納されている。
【００１６】
速結端子部６に電線を接続する場合には、電線の被覆が剥かれた芯線（図示せず）を電線挿入孔１６から挿入すると、鎖錠ばね１５のばね力により鎖錠ばね１５の鎖錠片１５ｂ及び接触片１５ｃと、端子板１１ａ，１１ｂ，１２の接触片１３ｃ，１４ｃとの間に芯線の導体が挟持され、鎖錠片１５ｂの先端縁が芯線の導体に食い込むことによって、芯線の脱落が防止されるようになっている。したがって、電線挿入孔１６に電線の芯線を挿入するだけで、電線の芯線が保持されるとともに、端子板１１ａ，１１ｂ，１２への電気的接続がなされるのである。
【００１７】
速結端子部６に接続された電線の芯線を外す場合は、ボディ１の底面に穿設された工具挿入孔１８からマイナスドライバなどの工具を挿入して、解除釦１７を押圧することにより、解除釦１７の突起１７ａが鎖錠片１５ｂを押圧して、鎖錠片１５ｂを端子板１１ａ，１１ｂ，１２の接触片１３ｃ，１４ｃから離れる向きに撓ませるので、鎖錠片１５ｂが芯線の導体から離れ、芯線を容易に引き抜くことができる。尚、解除釦１７は両側に突起１７ａを有しているので、解除釦１７を操作することによって一対の鎖錠ばね１５の鎖錠片１５ｂを同時に撓ませて、一対の鎖錠ばね１５と芯線との係止状態を同時に解除し、芯線を一度に外すことができる。
【００１８】
一方、開閉接点部８は端子板１１ａ，１１ｂ，１２と開閉体たる可動接点板１９とで構成される。端子板１２の当接片１４ｂの端部からは、先端に可動接点板１９の揺動支点となる支点凹所２２が形成された支持片２３が突設されている。一対の端子板１１ａ，１１ｂの内、一方の端子板１１ａの中央片１３ａと当接片１３ｂとの連結部位には、固定接点２１ａが先端に固着された略Ｌ字状の端子片２０ａが延設され、他方の端子板１１ｂの中央片１３ａと当接片１３ｂとの連結部位には、固定接点２１ｂが先端に固着された略Ｌ字状の端子片２０ｂが延設されており、両端子板１１ａ，１１ｂは固定接点２１ａ，２１ｂを互いに対向させた状態でボディ１内に配置される。可動接点板１９は導電材料よりなる帯板から短冊状に形成され、両面には固定接点２１ａ，２１ｂとそれぞれ接離自在に接触する可動接点２４ａ，２４ｂが固着されている。
【００１９】
而して、ボディ１の接点収納室９内に端子板１１ａ，１１ｂ，１２を収納した状態で、可動接点板１９を接点収納室９内に納めると、可動接点板１９下端部が端子板１２の支点凹所２２と当接し、可動接点板１９が支点凹所２２を中心として揺動自在に配置される。
【００２０】
一方、カバー２は前面に略矩形状の開口２５、つまり器体１０の前面開口が形成され、開口２５の長手方向略中央の開口縁には前方に突出する軸受手段たる軸受け台２６が突設されており、各軸受け台２６の互いに対向する面には溝２７が形成されている。また、カバー２の短幅方向の両側面には、カバー２の前面よりも一段高くなった段部２８，２８が形成され、各段部２８にはそれぞれ側方に突出する一対の係止爪２９が突設されており、係止爪２９を用いて施工面に固定される取付枠（図示せず）に器体１０を取り付けることができる。
【００２１】
開閉接点部８の開閉操作を行うための合成樹脂製の中ハンドル３０は背面が開口した略箱状であって、前面が略矩形状に形成されており、長手方向の両側面にはカバー２の溝２７に左右に一定の範囲で回動自在に入り込む回動軸部となる突起３１がそれぞれ突設されている。また、中ハンドル３０前面の長手方向における一端側には開口３４が穿設され、開口３４の両側には側方に突出する爪３５，３５が突設され、中ハンドル３０前面の長手方向における他端側略中央には側方に突出する爪３６が突設されている。また、カバー２前面の裏側にはコイルスプリング３２の一端部が納められる棒状突起３０ａが設けられている。コイルスプリング３２は他端部を可動接点板１９上端部の突出片１９ａに圧入することにより、可動接点板１９に固定される。
【００２２】
中ハンドル３０の前面側には合成樹脂製の操作ハンドル３８が着脱自在に取り付けられる。操作ハンドル３８は、中ハンドル３０の前面を覆う矩形状の主部３８ａと主部３８ａの周縁から後方に、突出する両端側壁３８ｂ及び両側側壁３８ｄとからなる周壁を連続一体に形成し、後面開口の凹部を有する略箱型のもので、主部３８ａの裏面には弾性を有する係止爪片３９，４０が突設されている。係止爪片３９，４０の先端には内方に突出する爪３９ａ，４０ａが突設され、係止爪片３９，４０の爪３９ａ，４０ａと中ハンドル３０の爪３５，３６とを係止させることにより、操作ハンドル３８が中ハンドル３０の前面に被さるように取着される。ここに、中ハンドル３０と操作ハンドル３８とで開閉接点部８の切換操作を行うための操作部が構成される。
【００２３】
この操作ハンドル３８を中ハンドル３０に取り付ける場合、中ハンドル３０の前方から操作ハンドル３８を被せるように取着するのであるが、係止爪片３９，４０の爪３９ａ、４０ａを中ハンドル３０の爪３５，３６に係止させる際に押し込み力が必要となり、この押し込み力により操作ハンドル３８及び中ハンドル３０が器体１０内へ沈み込み、内部の開閉機構部や開閉接点部８を破損若しくは故障させる恐れがある。そこで本基本例では図１（ａ）（ｂ）に示すように操作ハンドル３８の両側側壁３８ｄの中央後端を下方向に突出させた中央突出端３８ｅを形成しており、図１（ａ）に示すように操作ハンドル３８の取り付けのための押し込み力が働いて操作ハンドル３８とともに中ハンドル３０が矢印方向に沈み込んでも、上記操作ハンドル３８の両側側壁３８ｄの中央突出端３８ｅが図１（ｂ）に示すようにカバー２の前面（図では上面）に衝合して操作ハンドル３８のそれ以上の移動を規制する。つまりそれ以上の沈み込みが防止される。従って操作ハンドルの中央突出端３８ｅとカバー２の上面が沈み込み防止手段として機能し、この中央突出端３８ｅの突出長を、中ハンドル３０が器体１０内へ沈み込んでも、開閉機構部や開閉接点部８の破損や故障を招かない位置でカバー２の前面に中央突出端３８ｅが衝合するように設定することにより、操作ハンドル３８の取り付け時のトラブルを無くすことができるのである。
【００２４】
尚操作ハンドル３８の両側側壁３８ｄの内面には、中ハンドル３０に取り付ける際に、後端開口からカバー２側の軸受け台２６を逃がすための凹溝６０を設けてある。
【００２５】
さて本基本例のスイッチでは、照明負荷のオフ時に点灯してスイッチの設置位置を表示するネオンランプ５３を有する点灯表示部５２を中ハンドル３０内に組み込み、中ハンドル３０の前面に穿設された開口３４にネオンランプ５３を臨ませている。また、操作ハンドル３８の前面における中ハンドル３０の開口３４と対向する部位には、操作ハンドル３８を貫通する長孔状の孔３８ｃが穿設されている。プリズム５５は孔３８ｃおよび開口３４に挿通され先端が操作ハンドル３８前面から突出する細長の凸部５６を有しており、操作ハンドル３８の裏面側から孔３８ｃ内に凸部５６を挿入した状態で操作ハンドル３８にかしめ固定される。而して、操作ハンドル３８を中ハンドル３０に取り付けると、プリズム５５の入射面５７がネオンランプ５３に対向して配置される。
【００２６】
点灯表示部５２は、合成樹脂製の回路基板５２ａにネオンランプ５３及び抵抗を実装して成り、回路基板５２ａの略中央には圧入孔５２ｂが形成されており、この圧入孔５２ｂに中ハンドル３０の棒状突起３０ａを圧入することで回路基板５２ａが棒状突起３０ａに固定され中ハンドル３０内に納装される。この時、ネオンランプ５３及び抵抗は中ハンドル３０内の棒状突起３０ａ周囲のスペースに収納される。また、回路基板５２ａの下面（非実装面）の一側両端部には図示しない接点部が設けてあり、これらの接点部が回路基板５２ａ上のネオンランプ５３並びに抵抗と電気的に接続されている。一方、端子板１１ａ，１１ｂの各上面部には、それぞれ弾性を有する略く字状の接触子５４の基部がレーザ溶接などにより固着してあり、各接触子５４の先端部を回路基板５２ａの接点部と弾接するようにして、端子板１１ａ，１１ｂ並びに端子板１２の上方に回路基板５２ａが配置されている。従って、ネオンランプ５３及び抵抗は、端子板１１ａ，１１ｂに電気的に接続されている。
【００２７】
本基本例のスイッチは、例えば照明負荷と交流電源との間に２個接続されて３路スイッチ回路を構成するために用いられ、照明負荷に２個のスイッチを介して電源が給電されている状態では、ネオンランプ５３には通電されず、ネオンランプ５３は点灯しない。一方、何れか一方のスイッチの操作ハンドル３８を操作して接点状態を反転させると、照明負荷には電源が給電されなくなるが、各スイッチのネオンランプ５３に通電され、ネオンランプ５３が点灯する。ネオンランプ５３の発光はプリズム５５の入射面５７に入射し、プリズム５５内で屈折されて凸部５６から外部に出射されるので、照明負荷の消灯時にスイッチの位置を表示することができる。
【００２８】
次に本基本例のスイッチの動作について以下に簡単に説明する。操作ハンドル３８および中ハンドル３０が図４中右下がりに傾斜し、可動接点２４ａが固定接点２１ａと接触している状態で、操作ハンドル３８の図４中左側を押圧すると、操作ハンドル３８を押圧する力によって中ハンドル３０が反転動作し、図中左下がりに傾斜した状態となる。この時中ハンドル３０の反転動作に応じてコイルスプリング３２は図４中右側に反るため、コイルスプリング３２の曲がり具合に応じて可動接点板１９が支点凹所２２を支点として図４中右回りに回動し、可動接点２４ａが固定接点２１ａと開離するとともに、可動接点２４ｂが固定接点２１ｂと接触する。この時、中ハンドル３０はコイルスプリング３２のばね力によって反転した状態を保持し、可動接点２４ｂと固定接点２１ｂとが接触した状態を保持する。
【００２９】
一方、操作ハンドル３８および中ハンドル３０が図４中左下がりに傾斜し、可動接点２４ｂが固定接点２１ｂと接触している状態で、操作ハンドル３８の図４中右側を押圧すると、操作ハンドル３８を押圧する力によって中ハンドル３０が反転動作し、図４中右下がりに傾斜した状態となる。この時中ハンドル３０の反転動作に応じてコイルスプリング３２は図４中左側に反るため、コイルスプリング３２の曲がり具合に応じて可動接点板１９が支点凹所２２を支点として図４中左回りに回動し、可動接点２４ｂが固定接点２１ｂと開離するとともに、可動接点２４ａが固定接点２１ａと接触する。この時、中ハンドル３０はコイルスプリング３２のばね力によって反転した状態を保持し、可動接点２４ａと固定接点２１ａとが接触した状態を保持する。
【００３０】
ところで、本基本例のスイッチでは、開閉接点部８として単極切り換えに用いる３路スイッチを用いているが、開閉接点部８を３路スイッチに限定する趣旨のものではなく、開閉接点部８として単極単投に用いる単極スイッチ（所謂Ｂ接点タイプ）や、開閉接点部８として２極単投に用いる２極スイッチ（所謂Ｄ接点タイプ）や、単極切換えに用いる４路スイッチ（所謂Ｅ接点タイプ）などのスイッチを用いても良いことは言うまでもない。また、本基本例のスイッチは位置表示機能を有しているが、位置表示機能を無くしても良いことは言うまでもない。
【００３１】
（実施形態）
上記基本例では操作ハンドル３８の取り付け時の沈み込み防止のために操作ハンドル３８の両側側壁の下部中央に下方に突出せる中央突出端３８ｅを設け、この中央突出端３８ｅがカバー２の上面に衝合することで操作ハンドル３８の移動を規制し、沈み込みを防止しているが、本実施形態では図５（ａ）に示すように操作ハンドル３８の両側側壁の内面中央部に設けている軸受け台２６を納める凹溝６０の奥部にカバー２側の軸受け台２６の前部が衝合して干渉する突出部６１を設け、操作ハンドル３８を中ハンドル３０に被せて取り付ける際に加わる押し込み力で操作ハンドル３８が器体１０内へ沈み込もうとした場合、凹溝６０内に収納される軸受け台２６の前部が突出部６１に衝合して操作ハンドル３８の移動を規制し、図５（ｂ）に示すようにそれ以上の沈み込みを防止するようになっている。
【００３２】
つまり本実施形態では突出部６１と軸受け台２６が沈み込み防止手段を構成する。
【００３３】
尚本実施形態の沈み込み防止手段と、基本例の沈み込み防止手段を合わせて設けても良く、この場合、押し込み時の力を分散して受けることができ、沈み込み防止手段の構成する部位の強度がアップする。
【００３４】
【発明の効果】
請求項１の発明は、器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備しているので、操作ハンドルを中ハンドルに取り付ける場合、操作ハンドルの移動量を規制することができて、そのため操作ハンドル及び中ハンドルの器体内への沈み込みを防止して、器体内の開閉機構部や開閉接点部の破損や故障を防ぐことができるという効果がある。
【００３５】
また、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで上記沈み込み防止手段を構成したので、上記の効果が得られるスイッチを簡単な構成で実現できる。
【００３６】
請求項２の発明は、器体の前面開口から上部を露出させて回動自在に器体に保持される中ハンドルと、器体内に設けられ、中ハンドルの回動に応じて開閉接点部を開閉駆動する開閉機構部と、中ハンドルの前部に取着されるとともに上記器体前面への投影像が器体前面と略同じ大きさとなる寸法に形成された操作ハンドルとを備え、操作ハンドルには中ハンドルの前部を嵌め込む後ろ向き開口の凹部を後面側に設けているスイッチにおいて、操作ハンドルの凹部に中ハンドルを嵌め込む際に操作ハンドルが器体の一部に当接して操作ハンドルの器体方向への移動を規制する沈み込み防止手段を具備しているので、操作ハンドルを中ハンドルに取り付ける場合、操作ハンドルの移動量を規制することができて、そのため操作ハンドル及び中ハンドルの器体内への沈み込みを防止して、器体内の開閉機構部や開閉接点部の破損や故障を防ぐことができるという効果がある。また、上記沈み込み防止手段を、上記操作ハンドルの上記器体方向への移動時に上記器体前面に衝合するように形成した上記操作ハンドルの側壁後端と、上記器体前面とで構成した第１の沈み込み防止手段と、上記中ハンドルの両側部中央に設けた回動軸に対応して上記器体の両側前面より前方に向けて突出形成した軸受け台を、中ハンドルの前部への取着時に収納するように、上記操作ハンドルの凹部の両側内壁面に設けた逃がし用凹溝内に設けられ、収納される軸受け部の上部に衝合する当たり部と、器体側の軸受け部とで構成された第２の沈み込み防止手段とで構成したので、各衝合部位に加わる力を分散することができ、そのため各衝合部位の押し込み力に対する強度をアップさせることができる。
【図面の簡単な説明】
【図１】  本発明の基本例の沈み込み防止手段の説明図である。
【図２】  同上の分解斜視図である。
【図３】  （ａ）は同上の正面図である。
（ｂ）は同上の側面図である。
（ｃ）は同上の下面図である。
【図４】  同上の断面図である。
【図５】  本発明の実施形態の沈み込み防止手段の説明図である。
【符号の説明】
２  カバー
１０  器体
３０  中ハンドル
３８  操作ハンドル
３８ｄ  側壁
３８ｅ  中央突出端
【図１】
0003876617.tif 000002
【図２】
0003876617.tif 000003
【図３】
0003876617.tif 000004
【図４】
0003876617.tif 000005
【図５】
0003876617.tif 000006